(57)【要約】【課題】生を受ける前に亡くなった子への思いを書き綴った気持ちや、祈願を書いた内容を他人に見られないようにすること。【解決手段】供養筒１は、略円筒状で一方が閉塞されて他方が開口している筒体２と、この筒体２の開口側に挿入されるキャップ１０と、上記筒体２とキャップ１０とに挿通するひも１３とで構成されている。生を受ける前に亡くなった水子への思いを書き綴った紙１５を筒体２の空洞部３内に入れて、キャップ１０の先端を筒体２の開口部４に挿入して封印し、上述したようにひも１３を通してループ状に結ぶ。次に、供養筒１のひも１３の上部を釘に引っかけた状態で奉納する。これにより、水子への思いを書き綴った紙１５は供養筒１内に入れた状態となっているので、外から他人が見ることは不可能になる。したがって、奉納者のプライバシーを守ることができる。【選択図】　　　　図２
2004105566.tif 000002
【特許請求の範囲】
【請求項１】
亡くなった人への思いを書き綴った紙（１５）を収納し一方が閉塞されて他方に開口部（４）を有する筒体（２）と、この筒体（２）の開口部（４）を封印するキャップ（１０）とで供養筒（１）を形成していることを特徴とする葬祭用小道具。
【請求項２】
前記キャップ（１０）は略柱状に形成されると共に、先端に至るほど細径に形成され、該キャップ（１０）の先端部を前記筒体（２）の開口部（４）内に挿入して封印していることを特徴とする請求項１に記載の葬祭用小道具。
【請求項３】
前記筒体（２）及びキャップ（１０）にそれぞれ穴（６）（１１）を穿孔し、この穴（６）（１１）にひも（１３）を挿通して供養筒（１）を本堂（２０）の釘（１７）に引っかけて奉納していることを特徴とする請求項１または請求項２に記載の葬祭用小道具。
【請求項４】
前記キャップ（１０）を前記筒体（２）内に挿入していきキャップ（１０）の穴（１１）と筒体（２）の穴（６）とが連通した時に、該キャップ（１０）の外周面が前記筒体（２）の開口部（４）の内縁部に当接するようにキャップ（１０）の外径（φ２）を設定していることを特徴とする請求項３に記載の葬祭用小道具。
【請求項５】
亡くなった人への思いを書き綴った紙（１５）を収納し一方が閉塞されて他方に開口部（４）を有する紙材からなる筒体（２）と、この筒体（２）の開口部（４）を封印する紙製のシール（２６）とで供養筒（１）を形成していることを特徴とする葬祭用小道具。
【請求項６】
前記筒体（２）に穴（６）を穿孔し、この穴（６）にひも（１３）を挿通して供養筒（１）を本堂（２０）の釘（１７）に引っかけて奉納していることを特徴とする請求項５に記載の葬祭用小道具。
【請求項７】
亡くなった人への思いを書き綴った紙（１５）を収納し一方が閉塞されて他方に開口部（４）を有する筒体（２）と、この筒体（２）の開口部（４）を封印する封印用キャップ（１０ａ）とで供養筒（１）を形成し、前記筒体（２）の内径（φ１）と前記封印用キャップ（１０ａ）の外径（φ２）との寸法を略同一とすると共に、筒体（２）の端面（４２）と封印用キャップ（１０ａ）の端面（４３）とを面一にして封印用キャップ（１０ａ）を筒体（２）に装着するようにしていることを特徴とする葬祭用小道具。
【請求項８】
前記筒体（２）の内周面と前記封印用キャップ（１０ａ）の外周面の少なくともいずれか一方に凹凸面（４５）を形成していることを特徴とする請求項７に記載の葬祭用小道具。
【請求項９】
前記筒体（２）の内周面に溝（４７）を周設し、この溝（４７）に対応させた前記封印用キャップ（１０ａ）の外周面に突条部（４８）を周設していることを特徴とする請求項７に記載の葬祭用小道具。
【請求項１０】
前記供養筒（１）は定型内郵便の封書内に入る大きさとしていることを特徴とする請求項１〜請求項９にいずれか記載の葬祭用小道具。
【請求項１１】
願い事を記載する紙製の絵馬（３０）と、この絵馬（３０）を入れてシール片（３６）にて封印可能な絵馬奉納袋（３５）と、少なくとも前記絵馬奉納袋（３５）に挿通するひも（３３）とで構成されていることを特徴とする葬祭用小道具。
【請求項１２】
所定の厚みを有する絵馬（５０）に一端が開口し内部には願い事を記載した紙（５７）を収納する穴（５１）を穿孔し、この穴（５１）の開口部を封印用キャップ（５３）にて封印していることを特徴とする葬祭用小道具。
【請求項１３】
前記絵馬（５０）の穴（５１）の内径と前記封印用キャップ（１０ａ）の外径との寸法を略同一とし、封印用キャップ（５３）の穴（５１）への装着時には封印用キャップ（５３）の端面（５４）と絵馬（５０）の端面（５５）とは面一としていることを特徴とする請求項１２に記載の葬祭用小道具。
【発明の詳細な説明】
【０００１】
【発明の属する技術分野】
本発明は、供養文や祈念文を書いた紙や絵馬をお寺や神社に納める際に使用する葬祭用小道具に関するものである。
【０００２】
【従来の技術】
日本には周知のように神社やお寺が多数あり、神社では例えば、菅原道真が祀られている太宰府天満宮や北野天満宮が有名であり、また、京都では多数の有名なお寺が存在している。上記の太宰府天満宮や北野天満宮においては、学問の神様としての菅原道真にあやかるべく合格祈願の絵馬を多数の人達が奉納することも周知な事項である。
【０００３】
また、死者の供養をする一般のお寺ではないものの生を受けようとしつつ生まれる前に亡くなった水子を祀る水子寺が全国に多数存在しているのも事実である。特に、水子に関しては親、特に母親は特別の思いがあり、老人が亡くなった場合と比べて格別の思いがあることは当然察しられる。
そのため、水子寺に参った人の中には、生を受けられなかった子への思いを綴った便箋などの紙をお寺の一部にくくりつけたり、お寺の本堂の梁に予め設けてある釘に通して貼り付けて子の供養を行なっているのが現状である。
【０００４】
【発明が解決しようとする課題】
神社では上述したように学校や各種資格試験の合格祈願を書いて奉納する絵馬があるものの、一般のお寺ではかかる絵馬のようなものは無く、特に水子寺においてはそのような子への思いを書いて奉納するような物が無い。水子寺における供養の思いを書いた紙をお寺の本堂の一部に祀っておくのは、親の子への気持ちが自然発生的になされるものと推測される。
【０００５】
特に水子寺において、生を受けられなかった水子であるから紙に書いてある文章は、一般の人が見たら目を背けたくなるような文章が多いというのも事実である。また、供養を書いた人も、その内容を他人に見られたくないということもあるが、子への思いを書き綴った紙は単に梁などに貼り付けているだけなので、どうしても他人に見られてプライバシーが侵害されてしまうことになる。また、他人が書いた供養の思いを見るのも嫌なものであり、見たくない場合もある。つまり、見ようとする意識がなくても他人のプライバシーを侵害することにもなりかねない。
【０００６】
また、神社に奉納する絵馬の場合では、絵馬は絵馬堂に納められるが、かかる場合も周知のように絵馬に書いた文章や住所、氏名は前面に表示されているので他人に容易に見られることになる。そのため、中には他人に見られないようにするために絵馬を裏返したり、奥の方に付けたりする人もいる。
【０００７】
神社側ではこれら奉納された多数の絵馬を１年に一度消凡して供養することになっている。また、同様にお寺側でも、上記の多数の紙を１年に一度消凡して供養するようにしている。
【０００８】
本発明は上述の問題点に鑑みて提供したものであって、生を受ける前に亡くなった子への思いを書き綴った気持ちや、祈願を書いた内容を他人に見られないようにすることを目的とした葬祭用小道具を提供するものである。
【０００９】
【課題を解決するための手段】
そこで、本発明の請求項１記載の葬祭用小道具では、亡くなった人への思いを書き綴った紙１５を収納し一方が閉塞されて他方に開口部４を有する筒体２と、この筒体２の開口部４を封印するキャップ１０とで供養筒１を形成していることを特徴としている。
【００１０】
かかる構成とすることで、亡くなった人、例えば、生を受ける前に無くした水子への思いを書き綴った紙１５を、従来のように単に本堂２０に貼っているのではなく筒体２の中に入れてキャップ１０にて封印しているので、十分に供養ができる上に、紙１５に書いた内容を他人に見られることはない。また、本堂２０を訪れた人も、他人が書いた物を見ることがないので、他人の文章を見て嫌な思いや気持ちを持つこともない。
【００１１】
請求項２に記載の葬祭用小道具では、前記キャップ１０は略柱状に形成されると共に、先端に至るほど細径に形成され、該キャップ１０の先端部を前記筒体２の開口部４内に挿入して封印していることを特徴としている。
これにより、キャップ１０を筒体２の開口部４に挿入するだけで紙１５を入れて筒体２を封印することができ、他人に容易に見られないようにすることができる。
【００１２】
請求項３に記載の葬祭用小道具では、前記筒体２及びキャップ１０にそれぞれ穴６、１１を穿孔し、この穴６、１１にひも１３を挿通して供養筒１を本堂２０の釘１７に引っかけて奉納していることを特徴としている。
これにより、亡くなった人の思いを書き綴った紙１５を筒体２に入れて封印した後に、本堂２０の壁面や梁２２などに打ち付けられている釘１７などにひも１３により簡単に引っかけて奉納して十分に供養することができる。
【００１３】
また、請求項４に記載の葬祭用小道具では、前記キャップ１０を筒体２内に挿入していきキャップ１０の穴１１と筒体２の穴６とが連通した時に、該キャップ１０の外周面が前記筒体２の開口部４の内縁部に当接するようにキャップ１０の外径φ２を設定していることを特徴としている。
これにより、ひも１３を通す穴６、１１を一致させた場合にキャップ１０が筒体２に装着された状態となり、剛性が比較的弱い材料で筒体２を構成したり、また、筒体２の厚みが薄い場合でも、筒体２へのキャップ１０の挿入により筒体２を破損させることはない。
【００１４】
請求項５に記載の葬祭用小道具では、亡くなった人への思いを書き綴った紙１５を収納し一方が閉塞されて他方に開口部４を有する紙材からなる筒体２と、この筒体２の開口部４を封印する紙製のシール２６とで供養筒１を形成していることを特徴としている。
【００１５】
かかる構成とすることで、亡くなった人、例えば、生を受ける前に無くした水子への思いを書き綴った紙１５を、従来のように単に本堂２０に貼っているのではなく筒体２の中に入れてキャップ１０にて封印しているので、供養ができる上に、紙１５に書いた内容を他人に見られることはない。また、本堂２０を訪れた人も、他人が書いた物を見ることがないので、他人の文章を見て嫌な思いや気持ちを持つこともない。また、筒体２やシール２６を紙製としているので、本堂２０に奉納されているこれらの供養筒１を１年に一度燃やす場合にも、供養筒１を木製としているので、簡単に燃えて、環境への影響を最小限にすることができる。
【００１６】
請求項６に記載の葬祭用小道具では、前記筒体２に穴６を穿孔し、この穴６にひも１３を挿通して供養筒１を本堂２０の釘１７に引っかけて奉納していることを特徴としている。
これにより、亡くなった人の思いを書き綴った紙１５を筒体２に入れて封印した後に、本堂２０の壁面や梁２２などに打ち付けられている釘１７などにひも１３により簡単に引っかけて奉納して供養することができる。
【００１７】
請求項７に記載の葬祭用小道具では、亡くなった人への思いを書き綴った紙１５を収納し一方が閉塞されて他方に開口部４を有する筒体２と、この筒体２の開口部４を封印する封印用キャップ１０ａとで供養筒１を形成し、前記筒体２の内径φ１と前記封印用キャップ１０ａの外径φ２との寸法を略同一とすると共に、筒体２の端面４２と封印用キャップ１０ａの端面４３とを面一にして封印用キャップ１０ａを筒体２に装着するようにしていることを特徴としている。
【００１８】
かかる構成とすることで、筒体２に封印用キャップ１０ａを装着した場合には、筒体２の端面４２と封印用キャップ１０ａの端面４３とが面一となり、封印用キャップ１０ａを指でつかむことができず、紙１５を筒体２内に確実に封印することができる。そのため、筒体２内の紙１５を引き抜くことができないので、他人に容易に紙１５に書いた内容を読まれることもない。
【００１９】
請求項８に記載の葬祭用小道具では、前記筒体２の内周面と前記封印用キャップ１０ａの外周面の少なくともいずれか一方に凹凸面４５を形成していることを特徴としている。
これにより、筒体２や封印用キャップ１０ａの加工精度に多少のバラツキがあっても、凹凸面４５により筒体２の内周面と封印用キャップ１０ａの外周面との間の摩擦係数が大きくなり、封印用キャップ１０ａが筒体２から脱落するのを防止することができる。
【００２０】
請求項９に記載の葬祭用小道具では、前記筒体２の内周面に溝４７を周設し、この溝４７に対応させた前記封印用キャップ１０ａの外周面に突条部４８を周設していることを特徴としている。
これにより、筒体２内への封印用キャップ１０ａの挿入の際に突条部４８から破損した木屑４９が溝４７内に溜まり、この木屑４９が封印用キャップ１０ａの外周面と摩擦を起こし、封印用キャップ１０ａが筒体２から脱落するのを防止することができる。
【００２１】
請求項１０に記載の葬祭用小道具では、前記供養筒１は定型内郵便の封書内に入る大きさとしていることを特徴としている。
これにより、お寺が自宅から遠い場合など、わざわざそこのお寺へ足を運ばなくても郵便により供養筒１を送ってもらって送り返すことで、容易に奉納して供養することができる。
【００２２】
請求項１１に記載の葬祭用小道具では、願い事を記載する紙製の絵馬３０と、この絵馬３０を入れてシール片３６にて封印可能な絵馬奉納袋３５と、少なくとも前記絵馬奉納袋３５に挿通するひも３３とで構成されていることを特徴としている。
【００２３】
かかる構成とすることで、願い事や住所、氏名を書いた絵馬３０を絵馬奉納袋３５の中に入れて封印しているので、他人に容易に読まれることはなく、気兼ねなく絵馬堂に絵馬奉納袋３５に入れた絵馬３０を奉納して願掛けをすることができる。
また、絵馬５０や絵馬奉納袋３５を紙材で構成しているので、燃やす場合にも絵馬奉納袋３５ごと燃やせて環境への影響を最小限にすることができる。また、絵馬３０及び絵馬奉納袋３５も紙材で構成しているので、厚みも木製の場合と比べて大幅に薄くでき、絵馬堂には従来の何倍もの絵馬３０を奉納しておくことができる。また、絵馬３０及び絵馬奉納袋３５を燃やす場合にも、比較的短時間で燃やすことができる。
【００２４】
請求項１２に記載の葬祭用小道具では、所定の厚みを有する絵馬５０に一端が開口し内部には願い事を記載した紙５７を収納する穴５１を穿孔し、この穴５１の開口部を封印用キャップ５３にて封印していることを特徴としている。
【００２５】
かかる構成とすることで、願い事や住所、氏名を書いた紙５７を絵馬５０内の穴５１に入れて封印用キャップ５３により封印するので、外部からはその内容を見ることができず、他人に容易に読まれることはなく、気兼ねなく絵馬堂に絵馬５０を奉納して願掛けをすることができる。
【００２６】
請求項１３に記載の葬祭用小道具では、前記絵馬５０の穴５１の内径と前記封印用キャップ５３の外径との寸法を略同一とし、封印用キャップ５３の穴５１への装着時には封印用キャップ５３の端面５４と絵馬５０の端面５５とは面一としていることを特徴としている。
これにより、絵馬５０の穴５１に願い事や住所、氏名を書いた紙５７を入れて封印用キャップ５３にて封印した後は、封印用キャップ５３の端面５４と絵馬５０の端面５５とは面一となっているので、封印用キャップ５３を容易に引き抜くことができず、他人に読まれることもない。また、絵馬堂に納めた場合には、一般の絵馬と外観は変わらないため、絵馬５０の内部に願掛けをした紙５７が入っていることに気付かれることもない。
【００２７】
【発明の実施の形態】
（第１の実施の形態）
以下、本発明の第１の実施の形態を図１〜図８を参照して詳細に説明する。図１は本発明の供養筒１の分解斜視図を示しており、この供養筒１は、略円筒状で一方が閉塞されて他方が開口している筒体２と、この筒体２の開口側に挿入されるキャップ１０と、上記筒体２とキャップ１０とに挿通するひも１３とで構成されている。
【００２８】
上記供養筒１の筒体２及びキャップ１０は木製で形成されており、例えば、葦の木や蒲の木で形成している。筒体２は図３に示すように内部を切削して空洞部３を形成し、一方の端部は開口部４とし、他方の端部は所定の寸法を残して閉塞部５としている。筒体２の空洞部３にこの世に生を受ける前に亡くなった水子への思いを書き綴った紙１５を丸めて入れるようになっている。
また、筒体２の開口部４側の両側には上記ひも１３を挿通するための穴６がそれぞれ穿孔されている。
【００２９】
筒体２の開口部４に挿入ないし装着して空洞部３を封緘するキャップ１０は、略円柱状に形成されていて、先端に至るほど細径に形成されている。このキャップ１０の先端を細径に形成していることで、キャップ１０を筒体２の開口部４に挿入してキャップ１０を開口部４に確実に装着できるようにしている。
また、キャップ１０の先端側にもひも１３を通すための穴１１が穿孔されており、キャップ１０を筒体２の開口部４に装着した状態で、筒体２の穴６とキャップ１０の穴１１とが図３（ａ）に示すように連通し、ひも１３を穴６、１１に通してひも１３の両端を結ぶようになっている。
【００３０】
ここで、本実施形態における供養筒１の筒体２及びキャップ１０は木製を用いており、例えば、上述したがまの木を用いている。また、筒体２の外径も約１０ｍｍ程度であり、内部には紙１５を収納するための空洞部３を形成している。そのため、筒体２の厚みは薄くなったり、また、材料をがまの木を用いていることで、筒体２自体が剛性がなく比較的脆い場合がある。
そして、キャップ１０の上部は図３に示すように筒体２の内径より太径となっているので、筒体２内に紙１５を入れた後にキャップ１０を開口部４に力強く挿入すると、筒体２の開口部４付近が割れる恐れがある。
【００３１】
そこで、本実施形態では以下のように工夫をしている。すなわち、この供養筒１はひも１３を挿通してこのひも１３を釘に引っ掛けて奉納するようにしているので、図４（ａ）に示すように筒体２の開口部４にキャップ１０を挿入していき、筒体２の穴６にキャップ１０の穴１１を合わせた時に、キャップ１０の外周面が筒体２の開口部４の縁部に当接ないし圧接する箇所Ａの外径をφ２とし、この外径φ２と、筒体２の内径φ１とを同一の寸法（φ２＝φ１）としている。すなわち、キャップ１０を筒体２内に挿入していきキャップ１０の穴１１と筒体２の穴６とが連通した時に、該キャップ１０の外周面が前記筒体２の開口部４の内縁部に当接するようにキャップ１０の外径φ２を設定しているものである。
【００３２】
つまり、使用者がキャップ１０を筒体２内に挿入していく場合には、キャップ１０の穴１１と筒体２の穴６とが合うように挿入していき、両方の穴６、１１が合った時は、丁度キャップ１０の外周面が筒体２の開口部４の内周面部分に当接ないし圧接した状態となっている。そのため、図４（ｂ）に示すように、キャップ１０が筒体２に装着されると同時にキャップ１０の穴１１と筒体２の穴６とが一致することになる。
そして、キャップ１０が筒体２に装着されている状態で、ひも１３の先端を筒体２の穴６からキャップ１０の穴１１への通していき、ひも１３の両端を結んでひも１３をループ状にする。
【００３３】
これにより、比較的剛性の弱い材料（木製の例えば、がまの木や葦の木）で筒体２を構成したり、また、筒体２の厚みが薄い場合でも、筒体２へのキャップ１０の挿入により筒体２を破損させることはない。
【００３４】
そして、図２に示すように、筒体２からキャップ１０を外してもひも１３によりキャップ１０が筒体２からは接続された状態となり、キャップ１０を紛失しないようになっている。
生を受ける前に亡くなった水子への思いを書き綴った紙１５を筒体２の空洞部３内に入れて、その後に図３（ｃ）に示すように、キャップ１０の先端を筒体２の開口部４に挿入して封印し、上述したようにひも１３を通してループ状に結ぶ。
【００３５】
ここで、キャップ１０を筒体２に挿入した状態では、キャップ１０の穴１１と筒体２の穴６とが連通した状態となるので、穴６、１１に挿通しているひも１３を自由に動かすことができるようになっている。
次に、図５に示すように、供養筒１のひも１３の上部を釘１７に引っかけた状態で奉納する。これにより、水子への思いを書き綴った紙１５は供養筒１内に入れた状態となっているので、外から他人が見ることは不可能になる。したがって、奉納者のプライバシーを守ることができる。
【００３６】
図６は、水子の供養を行なう水子寺の本堂２０の概略構成図を示し、本堂２０の略中央部分には、阿弥陀像、観音像などの仏像２１が祀られている。図７に示すように、本堂２０の周囲の壁面や梁２２には釘１７が多数打ち付けられており、この釘１７に供養筒１のひも１３を引っかけて供養を行なう。図８はこの状態を示すものである。
このようにして、供養筒１をひも１３にて簡単に本堂２０の壁面や梁２２に打ち付けられている釘１７に引っかけて吊るして奉納することができる。
【００３７】
ここで、供養筒１にはひも１３を設けて本堂２０に打ち付けられている釘１７に容易にかけられるようにしていたが、本堂２０の床面に単に置いておくようにしても良い。かかる場合には、ひも１３は特に必要ではないので、ひも１３を無くした供養筒１としても良い。
この場合、キャップ１０の先端は先端に至るほど細径としているので、キャップ１０を筒体２の開口部４に挿入した場合、キャップ１０は開口部４に確実に装着されているので、力でもって引き抜かない限り、キャップ１０は筒体２から容易に脱落することはない。
【００３８】
このように、生を受ける前に無くした子への思いを書き綴った紙１５を、従来のように単に本堂２０に貼っているのではなく筒体２の中に入れてキャップ１０にて封印しているので、紙１５に書いた内容を他人に見られることはなく、奉納者のプライバシーを守ることができる。また、本堂２０を訪れた人も、他人が書いた物を見ることがないので、他人の文章を見て嫌な思いや気持ちを持つこともない。
さらに、本堂２０に奉納されているこれらの供養筒１を１年に一度燃やす場合にも、供養筒１を木製としているので、簡単に燃えて、環境への影響を最小限にすることができる。
【００３９】
ここで、供養筒１の大きさは任意であるが、例えば、長手方向の寸法や外径を定型内の封書に入る寸法で形成するようにしても良い。これは、遠く離れた水子寺に参らなくても、郵便で水子寺から供養筒１を送ってもらい、紙１５に思いを書き綴った後に紙１５を筒体２に入れてキャップ１０にて封印し、供養筒１を郵便で水子寺へ送って奉納するという簡便な方法をとることができるからである。これにより、自宅と奉納して供養するお寺とが遠い場合など、わざわざそこのお寺まで足を運ばなくても容易に奉納して供養することができるものである。
なお、供養筒１の大きさは、定型外の大きさでも良いのはもちろんであるが、定型内の大きさの方が郵便料金も安くなるので好適例である。
【００４０】
（第２の実施の形態）
図９は第２の実施の形態を示し、この実施形態では供養筒１の筒体２を紙製で構成した場合である。この場合、筒体２が容易に凹んだり折曲しないように剛性を保つべく、例えば、０．５ｍｍ〜１．０ｍｍくらいの厚さの紙で筒体２を形成している。
また、先の実施形態の筒体２と同様に、筒体２の材料と同じ紙材で閉塞部５を形成し、他方は開口部４としている。また、開口部４の封印は片面に接着剤を塗布した紙製のシール２６にて行なうようにしている。もちろん、シール２６に予め接着剤を塗布しておかず、筒体２の開口部４を封印する際に接着剤を塗布してからシール２６にて封印するようにしても良い。
【００４１】
この実施形態における供養筒１の筒体２にもひも１３を挿通させるための穴６が穿孔されていて、紙１５を筒体２に入れた後にシール２６にて封印してひも１３にて先の実施形態と同様に水子寺の本堂２０に引っかけて奉納する。また、供養筒１を本堂２０の床面や机の上に単に置いておく場合には、ひも１３は無くしても良い。
【００４２】
この実施形態においても、第１の実施形態に効果に加えて、供養筒１を紙材で構成しているので、供養筒１を燃やす場合にも環境への影響を最小限にすることができる。また、大きさも先の実施形態と同様としており、そのため、郵便で供養筒１を送ることができるようになっている。
【００４３】
（第３の実施の形態）
次に、第３の実施形態について説明する。亡くなった人（特に、生を受ける前に亡くなった水子）への思いを書き綴った内容を紙１５に書いて水子寺へ奉納する場合に、他人にその内容を見られたくない、あるいは他人が書いた文章を見たくないというために、キャップ１０にて封印していた。
しかし、供養筒１を物理的に破壊する場合は別として、筒体２からキャップ１０の端部が突出しているので、他人がキャップ１０を指でもって筒体２から引き抜くことは可能であり、筒体２から紙１５を抜き出して他人が書いた文章を読むことが可能となる。また、図９に示す場合では、シール２６を剥がすことで、筒体２から紙１５を抜き出すことも容易である。
【００４４】
そこで、本実施形態では、キャップ１０を一旦筒体２の開口部４に装着した後は、供養筒１を物理的に破壊しない限り、容易にキャップ１０を外すことができないようにしたものである。また、供養筒１の材料も剛性のある、例えば、杉、ラワン材などの木製で構成し、比較的重量感を与えたり、見栄えを向上させるようにしている。
【００４５】
次に、具体的に説明する。なお、先の実施形態と同様に、同一の機能を発揮する要素には同一の番号を付して説明する。図１０及び図１１に示すように、供養筒１は、例えば、円柱状の木材を一方の端面側から切削して一方を閉塞し、他方を開口部４とした筒体２と、この筒体２の開口部４に挿入して筒体２内の空洞部３に入れた紙１５を封印するための略円柱状の封印用キャップ１０ａとで構成されている。なお、筒体２の開口部４とは反対側は先の実施形態と同様に閉塞部５としている。上記実施形態と同様に、供養筒１の筒体２内に形成された空洞部３に紙１５を入れて、封印用キャップ１０ａにて開口部４を封印するようになっている。
なお、円筒状の部材の一方の開口部分に円柱状の部材を挿入・装着して筒体２を形成し、他方の開口した開口部４に封印用キャップ５３にて封印する構成としても良い。
【００４６】
そして、図１１（ａ）に示すように、筒体２の内径φ１と、封印用キャップ１０ａの外径φ２とを同一の寸法としている。なお、筒体２の閉塞部５の厚みは任意であり、筒体２内に入れる紙１５の大きさにより任意に設定する。
【００４７】
次に、先の実施形態と同様に思いを書き綴った紙１５を筒体２の開口部４より入れて、その後に封印用キャップ１０ａを筒体２の開口部４に挿入する。かかる場合も、筒体２の内径φ１と封印用キャップ１０ａの外径φ２とは同一の寸法としているので、封印用キャップ１０ａは筒体２内に挿入ないし圧入する形となる。また、図１１（ｂ）に示すように、封印用キャップ１０ａの端面４３が筒体２の開口部４側の端面４２と面一となるまで封印用キャップ１０ａを筒体２内に圧入する。
【００４８】
このように封印用キャップ１０ａの端面４３が筒体２の端面４２と面一となるまで封印用キャップ１０ａを筒体２内に圧入するので、封印用キャップ１０ａの端部は筒体２より突出せず、封印用キャップ１０ａを指でつまんで引き抜くことも不可能となる。
なお、筒体２内に封印用キャップ１０ａの先端を少し挿入した状態で、筒体２を逆さにして台の上などに筒体２を下方に押し付けることで、封印用キャップ１０ａの端面４３が筒体２の端面４２と面一となるように封印用キャップ１０ａを容易に圧入することができる。
【００４９】
この実施形態では、供養筒１を単に置くだけの構造としているが、先の実施形態と同様にひも１３を用いて任意の箇所に吊る形で奉納して供養するようにしても良い。この場合には、図１２に示すように、筒体２の閉塞部５に両側を貫通する穴７を穿孔し、ひも１３を該穴７に挿通して両端を結んでループ状にしておき、封印用キャップ１０ａにて筒体２を封印した後に上述と同様にひも１３を釘１７に引っ掛けて奉納して供養する。
【００５０】
ところで、本実施形態では、筒体２の内径φ１と、封印用キャップ１０ａの外径φ２とを同一しているが、これは封印用キャップ１０ａを筒体２内に圧入して封印用キャップ１０ａが筒体２から脱落しないようにしているものである。また、筒体２及び封印用キャップ１０ａを木製としているので、加工精度に多少のバラツキがあっても封印用キャップ１０ａの筒体２内への圧入は容易である。
しかし、筒体２及び封印用キャップ１０ａの加工精度により筒体２の内径φ１と封印用キャップ１０ａの外径φ２との差、特に、筒体２の内径φ１より封印用キャップ１０ａの外径φ２が小さくなった場合には、封印用キャップ１０ａの外周面の筒体２の内周面に対する引っ掛かりが無くなって、封印用キャップ１０ａが筒体２から脱落する恐れがある。
【００５１】
そこで、図１３に示すように、封印用キャップ１０ａの外周面に多数の凹凸からなる凹凸面４５を形成し、また、筒体２の内周面にも多数の凹凸からなる凹凸面４６を形成するようにしている。
【００５２】
封印用キャップ１０ａの凹凸面４５や筒体２の凹凸面４６は、けがき用工具などで容易に形成でき、また、図１３（ｂ）に示すように、封印用キャップ１０ａを筒体２内に装着した場合であって、封印用キャップ１０ａの端面４３と筒体２の端面４２とが面一となっている状態で、両凹凸面４５、４６が同一箇所となるように、凹凸面４５、４６を封印用キャップ１０ａの外周面と筒体２の内周面とに帯状に形成している。
もちろん、凹凸面４５、４６の位置は互いにずらせて形成しても良く、また、封印用キャップ１０ａまたは筒体２のいずれか一方だけに凹凸面４５（または凹凸面４６）を形成するようにしても良い。
【００５３】
このように、封印用キャップ１０ａを筒体２内に挿入した場合に、封印用キャップ１０ａの凹凸面４５と筒体２の凹凸面４６とが図１３（ｂ）に示すように重なり合って、凹凸面４５、４６を形成しない場合と比べて摩擦係数が大きくなり、そのため、封印用キャップ１０ａを筒体２内に挿入した場合には、封印用キャップ１０ａが筒体２から容易に脱落することはない。
【００５４】
特に、紙１５を筒体２内に入れて封印用キャップ１０ａにて封印した後は、供養筒１を振り回したりすることはなく、台の上に置いておいたり、釘１７にひも１３を介して吊っておくだけなので、封印用キャップ１０ａの外周面と筒体２の内周面との間に少しの引っ掛かり（摩擦）があれば、封印用キャップ１０ａは筒体２から抜けることはない。
また、封印用キャップ１０ａと筒体２との間に少しの引っ掛かりがあれば、封印用キャップ１０ａの端面４３と筒体２の端面４２とが面一となっているので、封印用キャップ１０ａを指でもって引き抜くこともできない。そのため、供養筒１を物理的に破壊する以外は、筒体２から封印用キャップ１０ａを容易に引き抜くことは出来ず、供養筒１内の紙１５に書いた文章を他人に容易に見られることもない。
【００５５】
図１４は封印用キャップ１０ａの筒体２への装着を確実にするための他の例を示し、筒体２の内周面に断面が略三角形状の溝４７を周設し、また、封印用キャップ１０ａの外周面には、上記溝４７と対応した断面を略三角形状とした突条部４８を一体に周設している。
【００５６】
ここで、筒体２の溝４７の内径φ３と、封印用キャップ１０ａの突条部４８の外径φ４とは同一の寸法とし、また、筒体２の内径φ１と封印用キャップ１０ａの端面４３側の外径φ２とを同一寸法としている。また、図１４では、封印用キャップ１０ａの突条部４８より左方では外径φ２より徐々に細径としているが、突条部４８の部分以外はその外径をφ２としても良い。なお、封印用キャップ１０ａの外径φ２を例えば、９ｍｍとした場合、突条部４８の外径φ４は１０ｍｍとしている。
また、封印用キャップ１０ａを筒体２内に挿入して、封印用キャップ１０ａの端面４３と筒体２の端面４２とを面一にさせた場合に、筒体２の溝４７の位置と封印用キャップ１０ａの突条部４８の位置とは対応するようにしている。
【００５７】
図１４（ｂ）は封印用キャップ１０ａを筒体２内に挿入した状態を示しており、封印用キャップ１０ａを筒体２内に挿入していくと、封印用キャップ１０ａの突条部４８は筒体２の内周面に圧接されて破損する。そして、封印用キャップ１０ａの端面４３と筒体２の端面４２とが面一となる状態まで封印用キャップ１０ａを挿入した場合には、突条部４８から破損した多数の木屑４９が溝４７内に溜まり、この木屑４９が封印用キャップ１０ａの外周面と摩擦を起こす。
これにより、封印用キャップ１０ａの外周面と筒体２の内周面との間の摩擦係数が大きくなり、封印用キャップ１０ａが筒体２から脱落することもない。また、封印用キャップ１０ａの端面４３と筒体２の端面４２とを面一にしているので、封印用キャップ１０ａを簡単に引き抜くことも不可能である。
【００５８】
なお、本実施形態における供養筒１の大きさも先の実施形態と同様に定型内郵便で郵送可能な大きさが好適例である。
【００５９】
なお、上記第１〜第３の実施形態において、水子を供養する水子寺の場合について説明していたが、水子寺に限らず一般のお寺においてこの世に生を受けてから亡くなった人を供養する場合、あるいはお寺で願掛けを行なう場合にも同様に本発明を適用できるものである。
また、上記第１〜第３の実施形態において、供養筒１の断面形状を円形としていたが、三角形や四角形等の形状、あるいはそれ以上の多角形の形状としても良いものである。
【００６０】
（第４の実施の形態）
図１５及び図１６は第４の実施形態を示し、本実施形態では絵馬の場合を示している。絵馬３０は紙材で構成されており、その上部にはひも３３を通すために穴３１が穿設されている。また、一般の絵馬と同様に絵馬３０の一方の面には、○○大学、△△高校や各種資格試験の合格祈願、住所、氏名等を書くようになっている。
【００６１】
かかる絵馬３０を絵馬奉納袋３５に入れるようにしており、この絵馬奉納袋３５は、絵馬３０の形状とほぼ同じ形状に形成されている。絵馬奉納袋３５の上部の一方側には一対のシール片３６が一体に形成されており、シール片３６の一面に接着剤を塗布してシール片３６にて封印できるようになっている。
また、絵馬奉納袋３５の上部にもひも３３を通すために穴３７が穿孔されていて、絵馬奉納袋３５の中に絵馬３０を入れてからひも３３を絵馬奉納袋３５の穴３７と絵馬３０の穴３１に通して図１６に示すようにひも３３の両端を結んでひも３３をループ状にする。
【００６２】
絵馬奉納袋３５のシール片３６にて絵馬３０を封印した後に、ひも３３により絵馬堂の釘に引っかけて絵馬３０を奉納する。この絵馬奉納袋３５は紙材で形成されているので、雨にかかると破れる恐れがあるので、絵馬奉納袋３５の表面には合成樹脂製のシールをコーティングするようにしても良い。
また、絵馬３０には穴３１を穿孔せずに、単に絵馬３０を絵馬奉納袋３５内に入れて奉納するような構成でも良い。
【００６３】
このように本実施形態では、願い事や住所、氏名を書いた絵馬３０を絵馬奉納袋３５の中に入れて封印しているので、他人に容易に読まれることはなく、願掛けを行なって気兼ねなく絵馬堂に絵馬奉納袋３５に入れた絵馬３０を奉納することができる。
また、絵馬３０及び絵馬奉納袋３５を紙材で構成しているので、燃やす場合にも木製の絵馬の場合と比べて環境への影響を最小限にすることができる。また、絵馬３０及び絵馬奉納袋３５も紙材で構成しているので、厚みも木製の場合と比べて大幅に薄くでき、絵馬堂には従来の何倍もの絵馬３０を奉納しておくことができる。また、絵馬３０及び絵馬奉納袋３５を燃やす場合にも、比較的短時間で燃やすことができる。
【００６４】
（第５の実施の形態）
次に、第５の実施形態を図１７及び図１８により説明する。本実施形態では木製の絵馬５０に願掛けの内容を記載した紙５７を収納する穴５１を穿孔し、この穴５１の開口部５２に木製の封印用キャップ５３を挿入して紙５７を絵馬５０内に封印するようにしたものである。
【００６５】
図１７に示す絵馬５０は一般の絵馬を示しており、一般の絵馬の大きさは、横が約１４０ｍｍ、縦が約９０ｍｍ、厚みが９ｍｍ前後である。絵馬５０に穿孔する穴５１の内径は約５〜６ｍｍあれば、紙５７を入れることができ、例えば、おみくじくらいの大きさの紙を丸めれば、上記の内径の大きさの穴５１に十分入れることができる。
絵馬５０に穿孔する穴５１の位置は、図１７に示す例では中央部分に形成し、開口部５２は絵馬５０の下面に開口させているが、絵馬５０のどの部分に穴５１を形成するようにしても良いのはもちろんである。また、絵馬５０の大きさや、厚みは任意に設定できるものである。
【００６６】
また、穴５１の内径と封印用キャップ５３の外径とは同一としており、封印用キャップ５３の端面５４と絵馬５０の下面５５とが面一となるように封印用キャップ５３を絵馬５０の穴５１に挿入ないし圧入する。この実施形態においても、封印用キャップ５３を穴５１に圧入して装着した状態では、封印用キャップ５３の端面５４と絵馬５０の下面５５とが面一となるようにしているので、指で封印用キャップ５３をつかむことができず、封印用キャップ５３を容易に引き抜くことは出来ない。また、封印用キャップ５３は穴５１に圧入されているので、穴５１から封印用キャップ５３が脱落することもない。
【００６７】
図１８は願掛けを書いた紙５７を絵馬５０の穴５１内に入れて封印用キャップ５３にて封印した状態の絵馬５０の正面図を示し、ひも５６を絵馬堂に吊るして奉納して願掛けを行なう。この絵馬５０の場合には、従来のように絵馬５０の表面に願い事や、住所、氏名を書くのではなく紙５７に書くようにしている。もちろん、他人に見られても構わない内容に関しては絵馬５０の表面に書くようにしても良い。
また、絵馬５０を吊っている状態では、絵馬５０を正面から見た場合、封印用キャップ５３は絵馬５０の下部に装着され、封印用キャップ５３の端面５４と絵馬５０の下面５５とは面一となっているので、一見したところでは封印用キャップ５３は視認できず、一般の絵馬と同様に見える。つまり、絵馬５０の内部に願掛けを記載した紙５７が入っていることは気付かれない。したがって、プライバシーを完全に守ることができる。
【００６８】
なお、穴５１の内周面と封印用キャップ５３の外周面との間の摩擦係数を大きくするために、先に実施形態で説明した図１３及び図１４の構成を穴５１と封印用キャップ５３に適用するようにしても良い。かかる構成は図１３及び図１４の場合と同じなので、説明は省略する。
また、本実施形態では、封印用キャップ５３の端面５４と絵馬５０の下面５５とが面一となるように装着していたが、封印用キャップ５３の端部が絵馬５０の下面５５より突出して装着するようにしても良い。
【００６９】
また、上記各実施形態において、供養筒１、絵馬３０、絵馬奉納袋３５、絵馬５０等の構成部材を天然素材で形成しているので、焼却した場合に有害なガス等を発生させることもない。
【００７０】
【発明の効果】
本発明の請求項１記載の葬祭用小道具によれば、亡くなった人、例えば、生を受ける前に無くした水子への思いを書き綴った紙を、従来のように単に本堂に貼っているのではなく筒体の中に入れてキャップにて封印しているので、十分に供養ができる上に、紙に書いた内容を他人に見られることはない。また、本堂を訪れた人も、他人が書いた物を見ることがないので、他人の文章を見て嫌な思いや気持ちを持つこともない。
【００７１】
請求項２に記載の葬祭用小道具によれば、前記筒体は略円筒状に形成され、前記キャップは略円柱状に形成されると共に、先端に至るほど細径に形成され、該キャップの先端部を前記筒体の開口部内に挿入して封印するようにしているので、キャップを筒体の開口部に挿入するだけで紙を入れて筒体を封印することができ、他人に容易に見られないようにすることができる。
【００７２】
請求項３に記載の葬祭用小道具によれば、前記筒体及びキャップにそれぞれ穴を穿孔し、この穴にひもを挿通して供養筒を本堂の釘に引っかけて奉納しているので、亡くなった人の思いを書き綴った紙を筒体に入れて封印した後に、本堂の壁面や梁などに打ち付けられている釘などにひもにより簡単に引っかけて奉納して十分に供養することができる。
【００７３】
また、請求項４に記載の葬祭用小道具によれば、前記キャップを筒体内に挿入していきキャップの穴と筒体の穴とが連通した時の該筒体の内径とキャップの外径とを略同じの寸法としているので、ひもを通す穴を一致させた場合にキャップが筒体に装着された状態となり、剛性が比較的弱い材料で筒体を構成したり、また、筒体の厚みが薄い場合でも、筒体へのキャップの挿入により筒体を破損させることはない。
【００７４】
請求項５に記載の葬祭用小道具によれば、亡くなった人、例えば、生を受ける前に無くした水子への思いを書き綴った紙を、従来のように単に本堂に貼っているのではなく筒体の中に入れてキャップにて封印しているので、供養ができる上に、紙に書いた内容を他人に見られることはない。また、本堂を訪れた人も、他人が書いた物を見ることがないので、他人の文章を見て嫌な思いや気持ちを持つこともない。また、筒体やシールを紙製としているので、本堂に奉納されているこれらの供養筒を１年に一度燃やす場合にも、供養筒を木製としているので、簡単に燃えて、環境への影響を最小限にすることができる。
【００７５】
請求項６に記載の葬祭用小道具によれば、前記筒体に穴を穿孔し、この穴にひもを挿通して供養筒を本堂の釘に引っかけて奉納しているので、亡くなった人の思いを書き綴った紙を筒体に入れて封印した後に、本堂の壁面や梁などに打ち付けられている釘などにひもにより簡単に引っかけて奉納して供養することができる。
【００７６】
請求項７に記載の葬祭用小道具によれば、筒体に封印用キャップを装着した場合には、筒体の端面と封印用キャップの端面とが面一となり、封印用キャップを指でつかむことができず、紙を筒体内に確実に封印することができる。そのため、筒体内の紙を引き抜くことができないので、他人に容易に紙に書いた内容を読まれることもない。
【００７７】
請求項８に記載の葬祭用小道具によれば、前記筒体の内周面と前記封印用キャップの外周面の少なくともいずれか一方に凹凸面を形成しているので、筒体や封印用キャップの加工精度に多少のバラツキがあっても、凹凸面により筒体の内周面と封印用キャップの外周面との間の摩擦係数が大きくなり、封印用キャップが筒体から脱落するのを防止することができる。
【００７８】
請求項９に記載の葬祭用小道具によれば、前記筒体の内周面に溝を周設し、この溝に対応させた前記封印用キャップの外周面に突条部を周設しているので、筒体内への封印用キャップの挿入の際に突条部から破損した木屑が溝内に溜まり、この木屑が封印用キャップの外周面と摩擦を起こし、封印用キャップが筒体から脱落するのを防止することができる。
【００７９】
請求項１０に記載の葬祭用小道具によれば、前記供養筒は定型内郵便の封書内に入る大きさとしているので、お寺が自宅から遠い場合など、わざわざそこのお寺へ足を運ばなくても郵便により供養筒を送ってもらって送り返すことで、容易に奉納して供養することができる。
【００８０】
請求項１１に記載の葬祭用小道具によれば、願い事や住所、氏名を書いた絵馬を絵馬奉納袋の中に入れて封印しているので、他人に容易に読まれることはなく、気兼ねなく絵馬堂に絵馬奉納袋に入れた絵馬を奉納して願掛けをすることができる。また、絵馬や絵馬奉納袋を紙材で構成しているので、燃やす場合にも絵馬奉納袋ごと燃やせて環境への影響を最小限にすることができる。また、絵馬及び絵馬奉納袋も紙材で構成しているので、厚みも木製の場合と比べて大幅に薄くでき、絵馬堂には従来の何倍もの絵馬を奉納しておくことができる。また、絵馬及び絵馬奉納袋を燃やす場合にも、比較的短時間で燃やすことができる。
【００８１】
請求項１２に記載の葬祭用小道具によれば、願い事や住所、氏名を書いた紙を絵馬内の穴に入れて封印用キャップにより封印するので、外部からはその内容を見ることができず、他人に容易に読まれることはなく、気兼ねなく絵馬堂に絵馬を奉納して願掛けをすることができる。
【００８２】
請求項１３に記載の葬祭用小道具によれば、絵馬の穴に願い事や住所、氏名を書いた紙を入れて封印用キャップにて封印した後は、封印用キャップの端面と絵馬の端面とは面一となっているので、封印用キャップを容易に引き抜くことができず、他人に読まれることもない。また、絵馬堂に納めた場合には、一般の絵馬と外観は変わらないため、絵馬の内部に願掛けをした紙が入っていることに気付かれることもない。
【図面の簡単な説明】
【図１】本発明の第１の実施の形態における供養筒の分解斜視図である。
【図２】本発明の第１の実施の形態における供養筒の斜視図である。
【図３】（ａ）は本発明の第１の実施の形態における供養筒の側面図である。
（ｂ）は本発明の第１の実施の形態における供養筒の断面図である。
【図４】（ａ）（ｂ）は本発明の第１の実施の形態における筒体の内径とキャップの外径との関係を示す説明図である。
【図５】本発明の第１の実施の形態における供養筒を釘に引っかけて奉納している状態を示す図である。
【図６】本発明の第１の実施の形態における水子寺の本堂の概略構成図である。
【図７】本発明の第１の実施の形態における水子寺の本堂の概略構成図である。
【図８】本発明の第１の実施の形態における本堂に供養筒を奉納している状態を示す図である。
【図９】（ａ）は本発明の第２の実施の形態における供養筒の断面図である。
（ｂ）は本発明の第２の実施の形態における供養筒の正面図である。
【図１０】本発明の第３の実施の形態における供養筒の分解斜視図である。
【図１１】（ａ）は本発明の第３の実施の形態における供養筒の分解断面図である。
（ｂ）は本発明の第３の実施の形態におけるキャップで封印した状態を示す供養筒の断面図である。
【図１２】本発明の第３の実施の形態におけるひもを用いる場合の供養筒の断面図である。
【図１３】（ａ）（ｂ）は本発明の第３の実施の形態における筒体とキャップとの摩擦係数を大きくさせる場合の説明図である。
【図１４】（ａ）（ｂ）は本発明の第３の実施の形態における筒体とキャップとの摩擦係数を大きくさせる場合の他の例の説明図である。
【図１５】本発明の第４の実施の形態における絵馬奉納袋に絵馬を入れる状態を示す図である。
【図１６】（ａ）は本発明の第４の実施の形態における絵馬奉納袋の背面図である。
（ｂ）は本発明の第４の実施の形態における絵馬奉納袋の正面図である。
【図１７】（ａ）〜（ｃ）は本発明の第５の実施の形態における絵馬の正面図、側面図及び底面図である。
【図１８】本発明の第５の実施の形態における絵馬の正面図である。
【符号の説明】
１　供養筒
２　筒体
４　開口部
６　穴
１０　キャップ
１０ａ　封印用キャップ
１１　穴
１３　ひも
１５　紙
１７　釘
２０　本堂
２２　梁
２６　シール
３０　絵馬
３３　ひも
３５　絵馬奉納袋
３６　シール片
４２　筒体の端面
４３　封印用キャップの端面
４７　溝
４８　突条部
５０　絵馬
５１　穴
５３　封印用キャップ
５４　封印用キャップの端面
５５　絵馬の端面（下面）
５７　紙
φ１　筒体の内径
φ２　キャップの外径
【図１】
2004105566.tif 000003
【図２】
2004105566.tif 000004
【図３】
2004105566.tif 000005
【図４】
2004105566.tif 000006
【図５】
2004105566.tif 000007
【図６】
2004105566.tif 000008
【図７】
2004105566.tif 000009
【図８】
2004105566.tif 000010
【図９】
2004105566.tif 000011
【図１０】
2004105566.tif 000012
【図１１】
2004105566.tif 000013
【図１２】
2004105566.tif 000014
【図１３】
2004105566.tif 000015
【図１４】
2004105566.tif 000016
【図１５】
2004105566.tif 000017
【図１６】
2004105566.tif 000018
【図１７】
2004105566.tif 000019
【図１８】
2004105566.tif 000020